(57)【要約】  【課題】  ユーザが表示させたいメニュー項目を追加表示でき、また、ユーザが表示させたいメニュー項目だけを表示できる画像表示装置を提供する。  【解決手段】  メニュー画面に表示されるメニュー項目の内容を表示画面に表示させるか否かを選択するための表示選択情報と、該表示選択情報がオンを示す場合に当該メニュー項目の内容をスーパーインポーズで表示画面に表示することを示すスーパーインポーズ設定情報と、スーパーインポーズでの表示対象となったメニュー項目の内容を表示画面に表示させる際に押下する操作手段の表示キーの押下回数を示すキー押下回数情報とを、当該メニュー項目に対応させてメニュー画面に表示させ、表示選択情報の何れかがオンされた場合に、当該キー押下回数情報が示すキー押下回数だけ表示キーを押下することによって、当該メニュー項目の内容が表示画面にスーパーインポーズで表示される。【選択図】      図４
2005229157.tif 000002
【特許請求の範囲】
【請求項１】
メニュー画面を表示する機能を有する画像表示装置において、メニュー画面に表示され
る当該メニュー項目の内容を表示画面に表示させるか否かを選択するための表示選択情報
を前記メニュー画面に表示される当該メニュー項目に対応させて設定する第１の情報設定
手段、前記表示選択情報が当該メニュー項目の内容を前記表示画面に表示させることを示
す場合に当該メニュー項目の内容をスーパーインポーズで前記表示画面に表示することを
示すスーパーインポーズ設定情報を前記メニュー画面に表示される当該メニュー項目に対
応させて設定する第２の情報設定手段、および前記スーパーインポーズでの表示対象とな
ったメニュー項目の内容を前記表示画面に表示させる際に押下する操作手段の表示キーの
押下回数を示すキー押下回数情報を前記メニュー画面に表示される当該メニュー項目に対
応させて設定する第３の情報設定手段を有するメニュー画面生成部と、前記表示選択情報
と前記スーパーインポーズ情報と前記キー押下回数情報とを記憶する記憶部と、該記憶部
より前記表示選択情報と前記スーパーインポーズ情報と前記キー押下回数情報とを読み出
し当該メニュー項目に対応させて前記メニュー画面に表示させる制御を行うと共に、メニ
ュー項目を表示させる順番を設定し、また、メニュー項目の内容を前記表示画面に表示さ
せる制御を行う表示制御部とを備え、前記メニュー画面に表示されたメニュー項目に対応
する表示選択情報の何れかがオンされた場合に、オンされた表示選択情報に対応するメニ
ュー項目の内容を前記表示画面にスーパーインポーズで表示する際に、当該キー押下回数
情報が示すキー押下回数だけ前記表示キーを押下することによって、前記オンの表示選択
情報に対応するメニュー項目の内容を前記表示画面にスーパーインポーズで表示すること
を特徴とする画像表示装置。
【請求項２】
メニュー画面を表示する機能を有する画像表示装置において、メニュー画面に表示され
る当該メニュー項目の内容を表示画面に表示させるか否かを選択するための表示選択情報
と、該表示選択情報が当該メニュー項目の内容を表示画面に表示させることを示す場合に
当該メニュー項目の内容をスーパーインポーズで前記表示画面に表示することを示すスー
パーインポーズ設定情報と、前記スーパーインポーズでの表示対象となったメニュー項目
の内容を前記表示画面に表示させる際に押下する操作手段の表示キーの押下回数を示すキ
ー押下回数情報とを、当該メニュー項目に対応させて前記メニュー画面に表示させる制御
を行うと共に、メニュー項目の内容を前記表示画面に表示させる制御を行う表示制御部を
備え、前記メニュー画面に表示されたメニュー項目に対応する表示選択情報の何れかがオ
ンされた場合に、オンされた表示選択情報に対応するメニュー項目の内容を前記表示画面
にスーパーインポーズで表示する際に、当該キー押下回数情報が示すキー押下回数だけ前
記表示キーを押下することによって、前記オンの表示選択情報に対応するメニュー項目の
内容を前記表示画面にスーパーインポーズで表示することを特徴とする画像表示装置。
【請求項３】
メニュー画面に表示される当該メニュー項目の内容を表示画面に表示させるか否かを選
択するための表示選択情報を前記メニュー画面に表示される当該メニュー項目に対応させ
て設定する第１の情報設定手段と、前記表示選択情報が当該メニュー項目の内容を前記表
示画面に表示させることを示す場合に当該メニュー項目の内容をスーパーインポーズで前
記表示画面に表示することを示すスーパーインポーズ設定情報を前記メニュー画面に表示
される当該メニュー項目に対応させて設定する第２の情報設定手段と、前記スーパーイン
ポーズでの表示対象となったメニュー項目の内容を前記表示画面に表示させる際に押下す
る操作手段の表示キーの押下回数を示すキー押下回数情報を前記メニュー画面に表示され
る当該メニュー項目に対応させて設定する第３の情報設定手段とを有するメニュー画面生
成部を備えたことを特徴する請求項２に記載の画像表示装置。
【請求項４】
前記表示選択情報と前記スーパーインポーズ情報と前記キー押下回数情報とを記憶する
記憶部と、該記憶部より前記表示選択情報と前記スーパーインポーズ情報と前記キー押下
回数情報とを読み出し当該メニュー項目に対応させて前記メニュー画面に表示させると共
に、メニュー項目を表示させる順番を設定し、また、メニュー項目の内容を表示画面に表
示させる制御を行う表示制御部とを備えたことを特徴とする請求項３に記載の画像表示装
置。
【発明の詳細な説明】
【技術分野】
【０００１】
本発明は、テレビ画面を表示したり、情報記録再生装置などに接続された場合に再生画
像を表示したりする画像表示装置に関し、特に、メニュー画面も表示させることができる
画像表示装置に関する。
【背景技術】
【０００２】
近年の電子機器においては機能が多くなり、これらの機能を設定するために、全ての機
能について専用の複数の操作キーをリモコンや本体操作部に設けると、操作キーの個数が
多くなってしまい、リモコンや本体操作部の小型化を図ることができない。そこで、複数
の設定項目を示すキャラクタ信号をミックスした映像信号を、画像表示装置においてメニ
ュー表示し、表示された設定項目を一つ選ぶことで設定を行う方法が広く用いられている
。このような従来の画像表示装置では、メニュー画面を開いてから設定項目を選択し、選
択した設定項目に対応する処理に移行し、設定内容を確認していた。
【特許文献１】特開平４−１１３７８５号公報
【特許文献２】特開平１１−７３２６５号公報
【特許文献３】特開２０００−２５３２８５号公報
【特許文献４】特開２００１−３５２４９７号公報
【発明の開示】
【発明が解決しようとする課題】
【０００３】
しかしながら、従来の画像表示装置では、メニュー画面において表示されるメニュー項
目が予め決まっており、その表示されるメニュー項目以外に、ユーザが設定したい項目や
変更したい項目あるいは確認したい項目がある場合、メニュー項目を追加して表示させる
ことができないようになっているので、それらの場合に対処することができないという課
題が生じる。
【０００４】
なお、特許文献１の従来技術は、メインメニューを経て表示させた定常的表示項目を択
一的にオン，オフさせることによって、機能設定時に必要な項目だけを選択できるように
構成されているが、表示できるのは定常的表示項目だけで、ユーザが希望する項目を追加
表示できる機能については開示されていないので、上記のような課題を解決できるもので
はない。
【０００５】
特許文献２の従来技術は、電子機器における機能の設定の方法が開示されているだけで
、この従来技術も、ユーザが希望する項目を追加表示できる機能については開示されてい
ないので、上記のような課題を解決できるものではない。
【０００６】
特許文献３の従来技術は、電子機器における複数の設定項目の設定変更を容易にするも
のであり、この従来技術も、ユーザが希望する項目を追加表示できる機能については開示
されていないので、上記のような課題を解決できるものではない。
【０００７】
特許文献４の従来技術は、多階層の操作メニューを表示し、その選択項目に従って制御
対象機器を制御するものであり、この従来技術も、ユーザが希望する項目を追加表示でき
る機能については開示されていないので、上記のような課題を解決できるものではない。
【０００８】
本発明は、上記のような課題を解決するためになされたもので、ユーザが表示させたい
メニュー項目を追加表示でき、また、ユーザが表示させたいメニュー項目だけを表示でき
る画像表示装置を提供することを目的とする。
【課題を解決するための手段】
【０００９】
上記目的を達成するために、請求項１の発明は、メニュー画面に表示される当該メニュ
ー項目の内容を表示画面に表示させるか否かを選択するための表示選択情報を前記メニュ
ー画面に表示される当該メニュー項目に対応させて設定する第１の情報設定手段、前記表
示選択情報が当該メニュー項目の内容を前記表示画面に表示させることを示す場合に当該
メニュー項目の内容をスーパーインポーズで前記表示画面に表示することを示すスーパー
インポーズ設定情報を前記メニュー画面に表示される当該メニュー項目に対応させて設定
する第２の情報設定手段、および前記スーパーインポーズでの表示対象となったメニュー
項目の内容を前記表示画面に表示させる際に押下する操作手段の表示キーの押下回数を示
すキー押下回数情報を前記メニュー画面に表示される当該メニュー項目に対応させて設定
する第３の情報設定手段を有するメニュー画面生成部と、前記表示選択情報と前記スーパ
ーインポーズ情報と前記キー押下回数情報とを記憶する記憶部と、該記憶部より前記表示
選択情報と前記スーパーインポーズ情報と前記キー押下回数情報とを読み出し当該メニュ
ー項目に対応させて前記メニュー画面に表示させる制御を行うと共に、メニュー項目を表
示させる順番を設定し、また、メニュー項目の内容を表示画面に表示させる制御を行う表
示制御部とを備え、前記メニュー画面に表示されたメニュー項目に対応する表示選択情報
の何れかがオンされた場合に、オンされた表示選択情報に対応するメニュー項目の内容を
前記表示画面にスーパーインポーズで表示する際に、当該キー押下回数情報が示すキー押
下回数だけ前記表示キーを押下することによって、前記オンの表示選択情報に対応するメ
ニュー項目の内容を前記表示画面にスーパーインポーズで表示することを特徴とする画像
表示装置を提供する。
【００１０】
この構成において、メニュー画面生成部の第１の情報設定手段では、メニュー画面に表
示される当該メニュー項目の内容を表示画面に表示させるか否かを選択するための表示選
択情報を、前記メニュー画面に表示される当該メニュー項目に対応させて設定し、第２の
情報設定手段では、前記表示選択情報が当該メニュー項目の内容を前記表示画面に表示さ
せることを示す場合に当該メニュー項目の内容をスーパーインポーズで前記表示画面に表
示することを示すスーパーインポーズ設定情報を、前記メニュー画面に表示される当該メ
ニュー項目に対応させて設定し、第３の情報設定手段では、前記スーパーインポーズでの
表示対象となったメニュー項目の内容を前記表示画面に表示させる際に押下する操作手段
の表示キーの押下回数を示すキー押下回数情報を、前記メニュー画面に表示される当該メ
ニュー項目に対応させて設定する。
【００１１】
また、前記メニュー画面に表示される当該メニュー項目の内容を前記表示画面に表示さ
せる場合は、ユーザが例えば操作手段の設定キーを操作して前記表示選択情報をオンに設
定し、前記メニュー画面に表示される当該メニュー項目の内容を前記表示画面に表示させ
ない場合は、前記表示選択情報をオフに設定する。前記表示選択情報と前記スーパーイン
ポーズ情報と前記キー押下回数情報とは記憶部に記憶され、前記表示選択情報と前記スー
パーインポーズ情報と前記キー押下回数情報とを前記メニュー画面に表示させる場合、前
記表示制御部は、前記記憶部から前記表示選択情報と前記スーパーインポーズ情報と前記
キー押下回数情報とを読み出し、前記メニュー画面に表示させる。また、前記表示制御部
により、メニュー項目を表示させる順番が設定され、その順番に従ってメニュー項目が表
示され、また、メニュー項目の内容が前記表示画面に表示される。
【００１２】
この構成によれば、予め決まっているメニュー項目以外に、ユーザが設定したい項目や
変更したい項目あるいは確認したい項目がある場合、メニュー項目を追加して表示させる
ことができ、また、ユーザが表示させたいメニュー項目だけを表示でき、そして選択した
メニュー項目の内容のみをスーパーインポーズで表示できるので、ユーザにとってはメニ
ュー項目の内容が見易くなる。また、ユーザが選択し、スーパーインポーズでの表示対象
となったメニュー項目の内容を表示画面に表示させる際に、操作手段の表示キーを何回か
押下するだけで良いので、操作が簡単になり、また、キーの個数を少なくできて、リモコ
ンや本体操作部の小型化を図れる。また、メニュー項目を表示させる順番は設定され、そ
の順番に従ってメニュー項目を表示できるので、ユーザの希望する順番でメニュー項目の
内容を見ることができる。
【００１３】
請求項２の発明は、メニュー画面に表示される当該メニュー項目の内容を表示画面に表
示させるか否かを選択するための表示選択情報と、該表示選択情報が当該メニュー項目の
内容を前記表示画面に表示させることを示す場合に当該メニュー項目の内容をスーパーイ
ンポーズで前記表示画面に表示することを示すスーパーインポーズ設定情報と、前記スー
パーインポーズでの表示対象となったメニュー項目の内容を前記表示画面に表示させる際
に押下する操作手段の表示キーの押下回数を示すキー押下回数情報とを、当該メニュー項
目に対応させて前記メニュー画面に表示させる制御を行うと共に、メニュー項目の内容を
前記表示画面に表示させる制御を行う表示制御部を備え、前記メニュー画面に表示された
メニュー項目に対応する表示選択情報の何れかがオンされた場合に、オンされた表示選択
情報に対応するメニュー項目の内容を前記表示画面にスーパーインポーズで表示する際に
、当該キー押下回数情報が示すキー押下回数だけ前記表示キーを押下することによって、
前記オンの表示選択情報に対応するメニュー項目の内容を前記表示画面にスーパーインポ
ーズで表示することを特徴とする画像表示装置を提供する。
【００１４】
この構成において、メニュー画面に表示される当該メニュー項目の内容を表示画面に表
示させるか否かを選択するための表示選択情報と、該表示選択情報が当該メニュー項目の
内容を前記表示画面に表示させることを示す場合に当該メニュー項目の内容をスーパーイ
ンポーズで前記表示画面に表示することを示すスーパーインポーズ設定情報と、前記スー
パーインポーズでの表示対象となったメニュー項目の内容を前記表示画面に表示させる際
に押下する操作手段の表示キーの押下回数を示すキー押下回数情報とが、当該メニュー項
目に対応させて前記メニュー画面に表示される。
【００１５】
前記メニュー画面に表示されたメニュー項目に対応する表示選択情報の何れかがオンさ
れた場合に、表示選択情報がオンされたメニュー項目に対応するキー押下回数情報が示す
キー押下回数だけ操作手段の表示キーを押下すると、前記オンされた表示選択情報に対応
するメニュー項目の内容が前記表示画面にスーパーインポーズで表示される。
【００１６】
この構成によれば、予め決まっているメニュー項目以外に、ユーザが設定したい項目や
変更したい項目あるいは確認したい項目がある場合、メニュー項目を追加して表示させる
ことができ、また、ユーザが表示させたいメニュー項目だけを表示でき、そして選択した
メニュー項目の内容のみをスーパーインポーズで表示できるので、ユーザにとってはメニ
ュー項目の内容が見易くなる。また、ユーザが選択し、スーパーインポーズでの表示対象
となったメニュー項目の内容を表示画面に表示させる際に、操作手段の表示キーを何回か
押下するだけで良いので、操作が簡単になり、また、キーの個数を少なくできて、リモコ
ンや本体操作部の小型化を図れる。
【００１７】
請求項３の発明では、請求項２の発明において、メニュー画面に表示される当該メニュ
ー項目の内容を表示画面に表示させるか否かを選択するための表示選択情報を前記メニュ
ー画面に表示される当該メニュー項目に対応させて設定する第１の情報設定手段と、前記
表示選択情報が当該メニュー項目の内容を前記表示画面に表示させることを示す場合に当
該メニュー項目の内容をスーパーインポーズで前記表示画面に表示することを示すスーパ
ーインポーズ設定情報を前記メニュー画面に表示される当該メニュー項目に対応させて設
定する第２の情報設定手段と、前記スーパーインポーズでの表示対象となったメニュー項
目の内容を前記表示画面に表示させる際に押下する操作手段の表示キーの押下回数を示す
キー押下回数情報を前記メニュー画面に表示される当該メニュー項目に対応させて設定す
る第３の情報設定手段とを有するメニュー画面生成部を備えたので、メニュー画面上に、
メニュー項目に対応させて表示選択情報とスーパーインポーズ設定情報とキー押下回数情
報とを表示させることができる。
【００１８】
請求項４の発明では、請求項３の発明において、表示選択情報とスーパーインポーズ情
報とキー押下回数情報とを記憶する記憶部と、該記憶部より前記表示選択情報と前記スー
パーインポーズ情報と前記キー押下回数情報とを読み出し当該メニュー項目に対応させて
メニュー画面に表示させると共に、メニュー項目を表示させる順番を設定し、また、メニ
ュー項目の内容を表示画面に表示させる制御を行う表示制御部とを備えたので、メニュー
項目に対応する表示選択情報とスーパーインポーズ情報とキー押下回数情報とを設定して
前記記憶部に記憶しておくことにより、前記表示制御部は、次回にメニュー画面を開いた
際も、ユーザが以前に選択設定したメニュー項目の内容を表示することが可能になる。ま
た、メニュー項目を表示させる順番を設定でき、その順番に従ってメニュー項目を表示で
きるので、ユーザの希望する順番でメニュー項目の内容を見ることができる。
【発明の効果】
【００１９】
以上のように本発明によれば、メニュー画面に表示される当該メニュー項目の内容を表
示画面に表示させるか否かを選択するための表示選択情報を前記メニュー画面に表示され
る当該メニュー項目に対応させて設定する第１の情報設定手段、前記表示選択情報が当該
メニュー項目の内容を前記表示画面に表示させることを示す場合に当該メニュー項目の内
容をスーパーインポーズで前記表示画面に表示することを示すスーパーインポーズ設定情
報を前記メニュー画面に表示される当該メニュー項目に対応させて設定する第２の情報設
定手段、および前記スーパーインポーズでの表示対象となったメニュー項目の内容を前記
表示画面に表示させる際に押下する操作手段の表示キーの押下回数を示すキー押下回数情
報を前記メニュー画面に表示される当該メニュー項目に対応させて設定する第３の情報設
定手段を有するメニュー画面生成部と、前記表示選択情報と前記スーパーインポーズ情報
と前記キー押下回数情報とを記憶する記憶部と、該記憶部より前記表示選択情報と前記ス
ーパーインポーズ情報と前記キー押下回数情報とを読み出し当該メニュー項目に対応させ
て前記メニュー画面に表示させる制御を行うと共に、メニュー項目を表示させる順番を設
定し、また、メニュー項目の内容を前記表示画面に表示させる制御を行う表示制御部とを
備え、前記メニュー画面に表示されたメニュー項目に対応する表示選択情報の何れかがオ
ンされた場合に、オンされた表示選択情報に対応するメニュー項目の内容を前記表示画面
にスーパーインポーズで表示する際に、当該キー押下回数情報が示すキー押下回数だけ前
記表示キーを押下することによって、前記オンの表示選択情報に対応するメニュー項目の
内容を前記表示画面にスーパーインポーズで表示するように構成したので、予め決まって
いるメニュー項目以外に、ユーザが設定したい項目や変更したい項目あるいは確認したい
項目がある場合、メニュー項目を追加して表示させることができる。
【００２０】
また、ユーザが表示させたいメニュー項目だけを表示でき、そして選択したメニュー項
目の内容のみをスーパーインポーズで表示できるので、ユーザにとってはメニュー項目の
内容が見易くなる。また、ユーザが選択し、スーパーインポーズでの表示対象となったメ
ニュー項目の内容を表示画面に表示させる際に、操作手段の表示キーを何回か押下するだ
けで良いので、操作が簡単になり、また、キーの個数を少なくできて、リモコンや本体操
作部の小型化を図れる。また、メニュー項目を表示させる順番を設定でき、その順番に従
ってメニュー項目を表示できるので、ユーザの希望する順番でメニュー項目の内容を見る
ことができる。
【００２１】
また、本発明によれば、メニュー画面に表示される当該メニュー項目の内容を表示画面
に表示させるか否かを選択するための表示選択情報と、該表示選択情報が当該メニュー項
目の内容を前記表示画面に表示させることを示す場合に当該メニュー項目の内容をスーパ
ーインポーズで前記表示画面に表示することを示すスーパーインポーズ設定情報と、前記
スーパーインポーズでの表示対象となったメニュー項目の内容を前記表示画面に表示させ
る際に押下する操作手段の表示キーの押下回数を示すキー押下回数情報とを、当該メニュ
ー項目に対応させて前記メニュー画面に表示させる制御を行うと共に、メニュー項目の内
容を前記表示画面に表示させる制御を行う表示制御部を備え、前記メニュー画面に表示さ
れたメニュー項目に対応する表示選択情報の何れかがオンされた場合に、オンされた表示
選択情報に対応するメニュー項目の内容を前記表示画面にスーパーインポーズで表示する
際に、当該キー押下回数情報が示すキー押下回数だけ前記表示キーを押下することによっ
て、前記オンの表示選択情報に対応するメニュー項目の内容を前記表示画面にスーパーイ
ンポーズで表示するように構成したので、予め決まっているメニュー項目以外に、ユーザ
が設定したい項目や変更したい項目あるいは確認したい項目がある場合、メニュー項目を
追加して表示させることができる。
【００２２】
また、ユーザが表示させたいメニュー項目だけを表示でき、そして選択したメニュー項
目の内容のみをスーパーインポーズで表示できるので、ユーザにとってはメニュー項目の
内容が見易くなる。また、ユーザが選択し、スーパーインポーズでの表示対象となったメ
ニュー項目の内容を表示画面に表示させる際に、表示キーを何回か押下するだけで良いの
で、操作が簡単になり、また、キーの個数を少なくできて、リモコンや本体操作部の小型
化を図れる。
【発明を実施するための最良の形態】
【００２３】
以下、添付図面を参照しつつ、本発明の実施の形態について説明する。図１は本発明の
一実施形態に係る画像表示装置の構成を示すブロック図である。この実施形態では、磁気
記録再生装置や光ディスク記録再生装置などの情報記録再生装置が接続された場合の画像
表示装置について説明するが、この画像表示装置に接続される電子機器は情報処理装置に
限ることはなく、また、画像表示装置自体がテレビジョン受像機であっても良い。
【００２４】
この画像表示装置は、メニュー画面を生成するメニュー画面生成部１と、メニュー画面
３１および表示画面３２を制御する表示制御部２と、メニュー画面３１または／および表
示画面３２を表示する表示部３と、各構成要素を制御してこの画像表示装置全体を制御す
るＣＰＵ４と、メニュー画面３１の生成に必要な情報や処理に必要な情報などを記憶する
記憶部５と、複数の操作キーを有する操作部６と、同じく複数の操作キーを有し赤外光の
操作信号を送信するリモコン７と、例えば情報記録再生装置９が接続されている場合に情
報記録再生装置９からの情報を入力する情報入力部８とを備えている。なお、操作部６は
、リモコン７からの赤外光の操作信号を受光して電気信号に変換する手段を備えている。
【００２５】
メニュー画面生成部１は、メニュー画面３１に表示される当該メニュー項目の内容を表
示画面３２に表示させるか否かを選択するための表示選択情報をメニュー画面３１に表示
される当該メニュー項目に対応させて設定する第１の情報設定手段１１と、前記表示選択
情報が当該メニュー項目の内容を表示画面３２に表示させることを示す場合に当該メニュ
ー項目の内容をスーパーインポーズで表示画面３２に表示することを示すスーパーインポ
ーズ設定情報をメニュー画面３１に表示される当該メニュー項目に対応させて設定する第
２の情報設定手段１２と、前記スーパーインポーズでの表示対象となったメニュー項目の
内容を表示画面３２に表示させる際に押下する操作部６の表示キーまたはリモコン７の表
示キーの押下回数を示すキー押下回数情報をメニュー画面３１に表示される当該メニュー
項目に対応させて設定する第３の情報設定手段１３とを有する。
【００２６】
前記表示選択情報と前記スーパーインポーズ情報と前記キー押下回数情報とは記憶部５
に記憶される。表示制御部２は、記憶部５より前記表示選択情報と前記スーパーインポー
ズ情報と前記キー押下回数情報とを読み出し当該メニュー項目に対応させてメニュー画面
３１に表示させる制御を行うと共に、メニュー項目を表示させる順番を設定し、また、メ
ニュー項目の内容を表示画面３２に表示させる制御を行う。
【００２７】
前記メニュー画面に表示されたメニュー項目に対応する表示選択情報の何れかが操作部
６またはリモコン７の例えば設定キーの操作によってオンされた場合に、オンされた表示
選択情報に対応するメニュー項目の内容を表示画面３２にスーパーインポーズで表示する
際に、当該キー押下回数情報が示すキー押下回数だけ操作部６またはリモコン７の表示キ
ーを押下することによって、前記オンの表示選択情報に対応するメニュー項目の内容が表
示画面３２にスーパーインポーズで表示されることになる。
【００２８】
図２は前記表示部３に表示されるメニュー画面３１の一例を示す図である。このメニュ
ー画面３１において、メニュー項目である自動リターン「ＡＵＴＯ  ＲＥＴＵＲＮ」、自
動リピート「ＡＵＴＯ  ＲＥＰＥＡＴ」、表示画像のブライトやコントラストあるいは画
質などの設定「ＰＩＣＴＵＲＥ」は、表示選択情報が「ＯＮ」にそれぞれ設定されている
ことを示している。また、それぞれのＤは、メニュー項目「ＡＵＴＯ  ＲＥＴＵＲＮ」、
「ＡＵＴＯ  ＲＥＰＥＡＴ」、「ＰＩＣＴＵＲＥ」の内容を表示画面３２においてスーパ
ーインポーズで表示すると言うことを示すスーパーインポーズ設定情報を示している。
【００２９】
また、それぞれのＤの次の数字「１」、「２」、「３」は、前記スーパーインポーズで
の表示対象となったメニュー項目「ＡＵＴＯ  ＲＥＴＵＲＮ」、「ＡＵＴＯ  ＲＥＰＥＡ
Ｔ」、「ＰＩＣＴＵＲＥ」の内容をそれぞれ表示画面３２に表示させる際に押下する操作
部６の表示キーまたはリモコン７の表示キーの押下回数を示す。例えば、メニュー項目「
ＡＵＴＯ  ＲＥＰＥＡＴ」が「ＯＮ」の場合で、表示キーを２回押下すると、メニュー項
目「ＡＵＴＯ  ＲＥＰＥＡＴ」の内容が表示画面３２にスーパーインポーズで表示される
ことになる。なお、図２に示すメニュー画面３１は一例であるので、これに限ることはな
い。
【００３０】
図３は従来からのメニュー項目の内容に例えばメニュー項目「ＡＵＴＯ  ＲＥＰＥＡＴ
」の内容が追加表示された表示画面３２の一例を示す図である。この表示画面３２におい
て、メニュー項目「ＴＩＭＥＲ」はタイマ内容を示し、タイマがかけられているプログラ
ム（例えば予約録画したい番組等）の番号が、「１」、「２」、「３」、「５」、「６」
であることを示している。追加表示されたメニュー項目「ＡＵＴＯ  ＲＥＰＥＡＴ」は、
再生を自動的に繰り返すリピート再生の対象情報の番号を示し、情報記録再生装置９に記
録された情報のうち、リピード再生の対象となる情報の番号、例えば「１」、「４」を示
している。
【００３１】
また、この表示画面３２において、メニュー項目「ＲＦ  ＯＵＴ」は、情報記録再生装
置９のＲＦ出力回路からのＲＦ信号を受けるこの画像表示装置側のチャンネルを示し、こ
の場合、例えば２２チャンネル（２２ＣＨ）を示している。メニュー項目「ＣＬＯＣＫ」
は、現在の年月日時刻を示し、この場合、現在が２００４年４月１４日１０時であること
を示している。メニュー項目「ＣＨ  ＴＵＮＩＮＧ」は、チューナにおいて設定されたチ
ャンネルを示し、この場合は、２チャンネル（０２ｃｈ）に設定されていることを示す。
メニュー項目「ＬＡＮＧＵＡＧＥ」は、出力する音声言語が何であるかを示し、この場合
、音声言語が英語であることを示している。なお、図３に示す表示画面３２は一例である
ので、これに限ることはない。
【００３２】
図４は本実施形態においてメニュー表示処理を説明するためのフローチャートである。
このフローチャートを参照してメニュー表示処理について説明する。
【００３３】
ユーザがメニュー項目を表示させたい場合、メニュー画面生成部１の第１の情報設定手
段１１では、メニュー画面３１に表示される当該メニュー項目の内容を表示画面３２に表
示させるか否かを選択するための表示選択情報を、メニュー画面３１に表示される当該メ
ニュー項目に対応させて設定し、第２の情報設定手段１２では、前記表示選択情報が当該
メニュー項目の内容を表示画面３２に表示させることを示す場合に当該メニュー項目の内
容をスーパーインポーズで表示画面３２に表示することを示すスーパーインポーズ設定情
報を、メニュー画面３１に表示される当該メニュー項目に対応させて設定し、第３の情報
設定手段１３では、前記スーパーインポーズでの表示対象となったメニュー項目の内容を
表示画面３２に表示させる際に押下する表示キーの押下回数を示すキー押下回数情報を、
メニュー画面３１に表示される当該メニュー項目に対応させて設定する。
【００３４】
それら設定された表示選択情報とスーパーインポーズ設定情報とキー押下回数情報とは
記億部５に記憶され、表示制御部２は、記憶部５から表示選択情報とスーパーインポーズ
情報とキー押下回数情報とを読み出し、メニュー画面３１に表示させる（ステップＳ１）
。また、メニュー項目を表示させる順番が設定され、その順番に従ってメニュー項目が表
示される。
【００３５】
そして、ユーザはメニュー画面３１を見て、希望するメニュー項目の内容を表示画面３
２に表示させたい場合は、操作部６またはリモコン７の例えば設定キーを操作して、希望
するメニュー項目に対応する表示選択情報をＯＮに設定する（ステップＳ２）。また、メ
ニュー項目の内容を表示画面３２に表示させたくないメニュー項目に対しては、このメニ
ュー項目に対応する表示選択情報をＯＦＦに設定する（ステップＳ２）。
【００３６】
このようにしてメニュー画面３１上のメニュー項目に対応する表示選択情報がＯＮまた
はＯＦＦに設定されるが、表示選択情報のどれかがＯＮに設定されている場合（ステップ
Ｓ３）、表示選択情報がＯＮのメニュー項目に対応するキー押下回数情報のキー押下回数
を、操作部６またはリモコン７の設定キーを操作して設定する（ステップＳ４）。これら
の設定された表示選択情報とスーパーインポーズ設定情報とキー押下回数情報とは、次回
のメニュー表示処理においても使用できるように記憶部５に記憶される。
【００３７】
この後、操作部６またはリモコン７の表示キーを前記設定されたキー押下回数分だけ押
下すると（ステップＳ５）、表示制御部２は、記憶部５から読み出した表示選択情報とス
ーパーインポーズ情報とキー押下回数情報とに対応するメニュー項目の内容をスーパーイ
ンポーズにて表示画面３２に追加表示させる（ステップＳ６）。なお、表示内容が多くて
一画面に入り切れない場合は、サイクル毎に分けて表示することができる。
【００３８】
一方、ステップＳ３において、どれかがＯＮに設定されていないと判定された場合、即
ち、表示選択情報が全てＯＦＦに設定されている場合は、ユーザが追加して見たいメニュ
ー項目は無いので、従来のままのメニュー項目を表示、または表示の無効化を行う（ステ
ップＳ７）。なお、従来からのメニュー項目に対しても、その内容を表示画面３２に表示
させたいメニュー項目だけを選んで、この選んだメニュー項目に対応する表示選択情報を
０Ｎに設定することにより、選択したメニュー項目の内容のみをスーパーインポーズで表
示画面３２に表示できることは言うまでもない。
【００３９】
以上説明したように本実施形態によれば、予め決まっているメニュー項目以外に、ユー
ザが設定したい項目や変更したい項目あるいは確認したい項目がある場合、メニュー項目
を追加して表示させることができ、また、ユーザが表示させたいメニュー項目だけを表示
でき、そして選択したメニュー項目の内容のみをスーパーインポーズで表示できるので、
ユーザにとってはメニュー項目の内容が見易くなる。また、ユーザが選択し、スーパーイ
ンポーズでの表示対象となったメニュー項目の内容を表示画面に表示させる際に、表示キ
ーを何回か押下するだけで良いので、操作が簡単になり、また、キーのスペースが小さく
なって、リモコンや本体操作部の小型化を図れる。また、メニュー項目を表示させる順番
を設定でき、その順番に従ってメニュー項目を表示できるので、ユーザの希望する順番で
メニュー項目の内容を見ることができる。
【図面の簡単な説明】
【００４０】
【図１】本発明の一実施形態に係る画像表示装置の構成を示すブロック図である。
【図２】前記実施形態において表示部に表示されるメニュー画面の一例を示す図である。
【図３】前記実施形態において従来からのメニュー項目の内容に例えばメニュー項目「ＡＵＴＯ  ＲＥＰＥＡＴ」の内容が追加表示された表示画面の一例を示す図である。
【図４】前記実施形態においてメニュー表示処理を説明するためのフローチャートである。
【符号の説明】
【００４１】
１    メニュー画面生成部
２    表示制御部
５    記憶部
６    操作部（操作手段）
７    リモコン（操作手段）
１１    第１の情報設定手段
１２    第２の情報設定手段
１３    第３の情報設定手段
３１    メニュー画面
３２    表示画面
【図１】
2005229157.tif 000003
【図２】
2005229157.tif 000004
【図３】
2005229157.tif 000005
【図４】
2005229157.tif 000006